(57)【要約】【課題】無色透明又は有色透明の材質よりなることの視覚的効果は維持しつつ、人体損傷や環境災害の危険性を回避した成形品を提供する。【解決手段】成形品（４２，４３）は、無色透明又は有色透明の材質よりなり、その周面が凹凸状を呈して分離不能に一体成形されている。平滑で不規則な多面体によって形成されている成形品（４２）と、焼成により成形された複数の窪み（４４）によって形成されている成形品（４３）とは、入射した光は様々な方向に屈折及び反射し、成形品外へ放射されて看者に視認される。成形品（４３）の場合は、影となる窪み（４４）の部分が被収容物（４５）を引き立たせて看者に視認される。入射光を分散反射して表面をキラキラ輝かせるという視覚的効果を維持するとともに、不規則な多面体や窪み（４４）からの透過光を抑制して集光による火傷等の人体損傷や火災等の環境災害の危険性を回避する。
2016039335.tif 000002
【特許請求の範囲】
【請求項１】
無色透明又は有色透明の材質よりなり、その周面が凹凸状を呈して分離不能に一体成形された成形品であって、  前記凹凸は、平滑で不規則な多面体によって形成されていることを特徴とする成形品。
【請求項２】
無色透明又は有色透明の材質よりなり、その周面が凹凸状を呈して分離不能に一体成形された成形品であって、  前記凹凸は、焼成により成形された複数の窪みによって形成されていることを特徴とする成形品。
【請求項３】
表面及び裏面が分離不能に一体成形されており、  少なくとも表面は、光を入射するために平滑状であり、  少なくとも裏面は、光を分散反射するために凹凸状である、  ことを特徴とする請求項１又は２記載の成形品。
【請求項４】
内部に貴金属、宝石、宝玉若しくはその模造品のいずれか又はその組合せよりなる被収容物が収容されていることを特徴とする請求項１から３のいずれか記載の成形品。
【発明の詳細な説明】
【技術分野】
【０００１】  本発明は、無色透明又は有色透明の材質よりなる成形品に関する。
【背景技術】
【０００２】  無色透明又は有色透明の材質よりなる成形品は、その透明感の有する輝きから看者の興味を惹きつけるという視覚的効果を発揮する。このような成形品の材質としては、ガラスやプラスチック、宝石又は宝玉類そのものがあり、成形品として装身具、飾り物、玩具、オブジェ、シャンデリア等に使用される。【０００３】  例えば、図６に示す特許文献１の宝石玩具は、表面が宝石形に加工された透明色の疑似宝石本体１の裏面に光を反射するミラーシール２を貼り付け、疑似宝石本体１の表面から進入してきた光をミラーシール２で反射させ光を散乱させることにより、疑似宝石本体１の表面形状をキラキラ輝かせるものである。
【先行技術文献】
【特許文献】
【０００４】
【特許文献１】実用新案登録第３００８６３８号公報（要約、段落［００１５］、図１）
【発明の概要】
【発明が解決しようとする課題】
【０００５】  しかしながら、上述した宝石玩具は、疑似宝石本体１の裏面自体には直接加工を施す必要がないことから（特許文献１の段落［００２２］）、疑似宝石本体１の表面から進入してきた光を反射させるためのミラーシール２が必須となり、部品点数が多いという問題がある。【０００６】  一方で、ガラス材質や宝石又は宝玉類そのものを成形品として装身具等に用いる場合は、成形品内に入射した光が成形品外に透過する透過光が人体や周囲環境に重大な影響を及ぼすおそれがある。例えば、ネックレスやペンダント等の装身具として身に着けていた場合に、透過光が人体に当ると日焼けや火傷などの人体損傷を引き起こすといった問題がある。また、オブジェや飾り物として使用していた場合に、透過光が周囲の物に当ると発煙や発火などの災害を引き起こすといった問題がある。これらの問題は、特に透過光の焦点がレンズ効果によって集中したときにはその影響は大きくなる。【０００７】  本発明は、このような点に鑑みてなされたものであり、その目的は、人体損傷や環境災害の危険性を回避するとともに、無色透明又は有色透明の材質よりなることの視覚的効果は維持しつつも、部品点数の少ない成形品を提供することにある。
【課題を解決するための手段】
【０００８】  上記課題を解決するために、本発明に係る成形品は、無色透明又は有色透明の材質よりなり、その周面が凹凸状を呈して分離不能に一体成形されている。【０００９】  より具体的には、本発明は、以下のものを提供する。【００１０】  （１）  無色透明又は有色透明の材質よりなり、その周面が凹凸状を呈して分離不能に一体成形された成形品であって、前記凹凸は、平滑で不規則な多面体によって形成されていることを特徴とする成形品。【００１１】  本発明によれば、平滑で不規則な多面体による凹凸状は、その平滑領域によって成形品内に入射光を取り入れ、また不規則な多面体であるから様々な入射角を持った入射光を取り入れることが可能となり、さらに取り入れられた入射光が他の面で反射する際にも様々な反射角を持った反射光が成形品内で生じることが可能となり、両者が相俟って成形品内における光の散乱が助長されることとなる。このため、成形品自身及び成形品内を視覚的に引き立たせて、看者の興味を惹きつけることに資する。【００１２】  また、成形品内における光の散乱は、換言すれば成形品外の放射光（出射光）の散乱にも繋がることから、ある特定領域への集光を防ぐことが可能であり、ひいては集光による人体損傷や環境災害の危険性を回避することができる。【００１３】  （２）  無色透明又は有色透明の材質よりなり、その周面が凹凸状を呈して分離不能に一体成形された成形品であって、前記凹凸は、焼成により成形された複数の窪みによって形成されていることを特徴とする成形品。【００１４】  本発明によれば、焼成により成形された複数の窪みによる凹凸状は、成形品内の入射光の取り入れを抑制し、成形品内に取り入れられた入射光を分散反射させることから、成形品内における光の散乱が助長されることとなる。このため、成形品自身及び成形品内を視覚的に引き立たせて、看者の興味を惹きつけることに資する。【００１５】  また、成形品内における光の散乱は、換言すれば成形品外の放射光（出射光）の散乱にも繋がることから、ある特定領域への集光を防ぐことが可能であり、ひいては集光による人体損傷や環境災害の危険性を回避することができる。【００１６】  （３）  表面及び裏面が分離不能に一体成形されており、少なくとも表面は、光を入射するために平滑状であり、少なくとも裏面は、光を分散反射するために凹凸状である、ことを特徴とする成形品。【００１７】  本発明によれば、成形品は表面及び裏面が分離不能に一体成形されていることから、部品点数の削減に資することができる。また、少なくとも表面は、光を入射するために平滑状に成形されている平滑条を有することから、成形品内に進入する入射光を容易に取り入れることができ、少なくとも裏面は、光を分散反射するために凹凸状に成形されていることから、入射光を分散反射して相対的に表面をキラキラ輝かせるという視覚的効果を維持するとともに、裏面からの透過光を抑制して人体損傷や環境災害の危険性を回避することができる。【００１８】  （４）  内部に貴金属、宝石、宝玉若しくはその模造品のいずれか又はその組合せよりなる被収容物が収容されていることを特徴とする成形品。【００１９】  本発明によれば、成形品の内部に収容されている貴���属（金、銀、プラチナ等）、宝石（宝玉の原石）、宝玉やその模造品の輝きを楽しむことができる。特に、平滑で不規則な多面体による凹凸状又は焼成により成形された複数の窪みによる凹凸状によって、成形品内における光の散乱が助長されることとなり、様々な角度の散乱光が被収容物に浴びせられることで、被収容物の見た目を引き立たせることができる。【００２０】  また、焼成により成形された複数の窪みによる凹凸は、光の入射が抑制され、かつ、光の透過を抑制して分散反射させることから、内部に収容されている被収容物を見た目にもより引き立たせることができる。なお、従来は周面を全体的に透過することができていたため、高輝度の金や銀を収容することで見た目を引き立たせることができたが、本発明によれば、複数の窪みによる凹凸によって内部の被収容物が映えて見た目を引き立たせることができることから、輝度に依存しない収容物の選択が可能となる。
【発明の効果】
【００２１】  本発明の成形品は、無色透明又は有色透明の材質よりなり、その周面が凹凸状を呈して分離不能に一体成形して部品点数の削減に資するとともに、凹凸状によって、成形品内における光の散乱が助長されて、入射光を分散反射して表面や内部に収容されている宝石等をキラキラ輝かせるという視覚的効果を維持しつつ、人体損傷や環境災害の危険性を回避することができるという効果がある。
【図面の簡単な説明】
【００２２】
【図１】本発明の実施の形態に係る成形品を示す図。
【図２】本発明の実施の形態に係る他の成形品を示す図。
【図３】成形品の側面又は周面の例を示す図。
【図４】規則的な成形品内の光路を示す模式図。
【図５】不規則な成形品内の光路を示す模式図。
【図６】従来の宝石玩具の例を示す図。
【発明を実施するための最良の形態】
【００２３】  以下、本発明の実施の形態について図面に基づいて説明する。【００２４】  図１は、本発明の実施の形態に係る成形品１０を示す図であり、図１（ａ）は表面図、図１（ｂ）は裏面図である。また、図２は、本発明の実施の形態に係る他の成形品２０を示す図であり、図２（ａ）は表面図、図２（ｂ）は裏面図である。ここで、図１に示す成形品１０は、その全体が円柱形状を呈しており、図２に示す成形品２０は、その全体が半球形状を呈している。なお、成形品の全体形状としては球形状の成形品３０であってもよいし、球塊状、円錐状、円柱状、円筒状など種々採用することができる。また、成形品としては、例えば、ネックレス、ペンダント、指輪等の装身具や装身具用飾り、置物として使用される。【００２５】  図１及び図２に示す成形品１０、２０は、無色透明又は有色透明のホウケイ酸ガラス、石英ガラス、ソーダガラス、樹脂（レジン）、プラスチック等の材質よりなり、このような材質を焼成して形作ることにより表面、裏面及び側面が分離不能に一体成形される。また、成形品１０，２０の内部に、貴金属、宝石、宝玉やその模造品等の被収容物が収容される場合には、焼成前の材質に被収容物を混入して焼成することで成形品１０，２０と被収容物とが分離不能に一体成形される。【００２６】  成形品１０，２０の表面は、ツルツルとした触感であり、平滑状に成形されている平滑条を有するため、光の入射を容易にしている。無色透明又は有色透明であることから、表面からは裏面の模様を透き通して視認することができ、内部に宝石等が収容される場合には、宝石等を視認することができる。なお、平滑条は表面以外にも側面又は周面の全部又は一部に有していてもよく、光の入射量や内部の宝石等の視認性を考慮して適宜設定される（図３参照）。【００２７】  表面及び／又は周面の平滑条からは光の入射を容易にできる構造であればよく、全体として平滑であっても、段差を有し一連として平滑である多面体であってもよい。【００２８】  成形品１０，２０の裏面は、ザラザラとした触感であり、凹凸状に成形されている凹凸条（窪み）を有するため、平滑条から入射した光の分散反射を容易にしている。かかる凹凸条は、焼成により成形された複数の窪みであり、無数の凹凸となっている。裏面の材質も無色透明又は有色透明であるが、かかる無数の凹凸によって視覚的に曇りかかった様相を呈していることから、裏面から表面を視認することは困難となっている。なお、凹凸条は裏面以外にも側面又は周面の全部又は一部に有していてもよく、光の入射量等を考慮して適宜設定される（図３参照）。【００２９】  図３は、成形品の側面又は周面の例を示す図であり、（ａ）では成形品１０の側面又は周面の全面に凹凸条を有する一方、（ｂ）では成形品２０の側面又は周面の略左半分に凹凸条を、略右半分に平滑条を有する。また、（ｃ）では球形状の成形品３０の略左半球側に凹凸条を、略右半球側に平滑条を有する。なお、図３中、左側は裏面、右側は表面を示している。【００３０】  また、凹凸条を構成する窪みの高低差によっては裏面の凹凸条の様相と表面から視認できる裏面の様相とは異なっており、平滑条部分から窪みを視認するためには、しっかりとした��凸をつける必要がある。【００３１】  図４及び図５は、成形品４１，４２，４３内の光路を示す模式図であり、図４は成形品４１として例えばダイヤモンド構造を示しており、図５（ａ）は成形品４２として多面体構造を示しており、図５（ｂ）は成形品４３として窪み４４を有する多面体構造を示している。なお、窪み４４を有する成形品の他の例としては、全周面に複数の点状の窪みを有しているもの、全周面に曲線状の模様が施された窪みを有しているものなど、種々採用することができる。【００３２】  図４に示す成形品４１の場合、ある方向から入射した光は成形品内部で屈折して反射を繰り返して成形品外へ放射（出射）されて看者に視認されることとなり、規則的な左右対称の構造物であるため、基本的に規則正しい反射を繰り返すこととなる。ダイヤモンドの場合、光が上部の平らな面から入射し、屈折・反射を繰り返して上部に放射（出射）されるように考えられていることから、基本的に上部から看者に視認されることを想定している。【００３３】  図５（ａ）に示す成形品４２の場合、不規則な非対称の構造物であるため、ある方向から入射した光は入射する壁面の角度によって様々な方向に屈折し、反射する壁面の角度によって様々な方向に反射し、成形品外へ放射（出射）されて看者に視認されることとなる。不規則な構造物による屈折及び反射によって放射（出射）される様々な光の干渉が発生することから、無色透明又は有色透明の材質が本来持つ無色又は有色以外の色彩も視認し得ることとなる。【００３４】  図５（ｂ）に示す成形品４３の場合、窪み４４を有する構造物であるため、窪み４４では透過光よりも反射光の方が多くなり、ほぼ全反射している態様となる。このため、平滑状の部分からの入射光が成形品外へ放射（出射）されて看者に視認されることとなり、窪み４４を有する部分は相対的に影となる。【００３５】  図５において、成形品４２，４３の略中心に被収容物４５が収容されている場合、様々な方向に屈折して様々な方向に反射する成形品内の光は、被収容物４５にも様々な角度から照射されることとなり、光源の位置によらずに、被収容物４５の輝きを看者に視認され得る。特に窪み４４を有する成形品４３の場合は、影となる窪み４４の部分が被収容物４５を引き立たせて看者に視認されることから、成形品４２の場合と比較してより少ない光量であっても被収容物４５に看者の興味を惹きつけることができる。【００３６】  また、被収容物４５としてオパールを採用した場合、様々な角度からオパールへ光が当たることになり、光源がどの位置にあっても、少ない光量であっても、オパールの遊色効果を最大限に引き出すことができる。オパールは見る方向によって虹色に変化する宝石の一種で、一定の色を持たない遊色であるが、様々な角度からオパールへ光が当たる成形品４２，４３は、太陽光や電気を用いた照明光など生活環境の中で限られた光源であっても、また、意識的に見る方向を変えなくても、看者に遊色効果を楽しませることができる。特に、成形品４２，４３内部に位置するオパールにより多くの光を照射するためには、球塊状の成形品であることが好ましい。
【産業上の利用可能性】
【００３７】  本発明に係る成形品は、視覚的にも優れ、人体損傷や環境災害の危険性を回避することができるものとして有用である。
【符号の説明】
【００３８】  １０，２０，３０，４１，４２，４３  成形品  ４４  窪み  ４５  被収容物
【図１】
2016039335.tif 000003
【図２】
2016039335.tif 000004
【図３】
2016039335.tif 000005
【図４】
2016039335.tif 000006
【図５】
2016039335.tif 000007
【図６】
2016039335.tif 000008
【国際調査報告】
2016039335.tif 000009
2016039335.tif 000010
2016039335.tif 000011
2016039335.tif 000012